(57)【要約】      （修正有）【課題】釣人が意図したときに釣糸に生じる張力を調整することができる延べ竿の提供。【解決手段】延べ竿は、元上節２５と、元節２６と、両者間に配置された付勢機構３０とを有する。元節２６に対して元上節２５は入れ子状に組み立てられており、両者は所定のはめあいにて嵌合している。元上節２５は、元節２６に対してスライド自在である。付勢機構３０は、元上節２５を元節２６側へ常時弾性的に付勢する。付勢機構３０は、スプリング５０を備える。元上節２５及び元節２６は、スプリング５０の両端部を保持する座部を有する。【選択図】図２
2018000162.tif 000002
【特許請求の範囲】
【請求項１】
元節と、
先端部及び他端部を有し当該他端部が上記元節内に挿入されており、上記元節の軸方向に沿ってスライドすることによって、上記他端部が上記元節の内底部まで挿入された第１位置及び上記他端部が上記内奥部から離反すると共に上記先端部が上記元節から伸び出た第２位置の間で変位する元上節と、
当該元上節を上記第１位置に変位するように弾性的に付勢する付勢機構とを備えた延べ竿。
【請求項２】
上記付勢機構は、
上記元節と上記元上節との間に配置され、上記元上節の他端部を上記元節の内奥部へ弾性的に付勢する押しスプリングを備えている請求項１に記載の延べ竿。
【請求項３】
上記押しスプリングは、上記元上節の他端部に外嵌されると共に上記元節内に収容されており、
上記元節は、上記押しスプリングの一端が保持される第１座部を有し、
上記元上節の他端部は、上記押しスプリングの他端が保持される第２座部を有する請求項２に記載の延べ竿。
【請求項４】
上記元節にエンドキャップが着脱自在に設けられており、
当該エンドキャップは、上記内奥部を形成している請求項２又は３に記載の延べ竿。
【請求項５】
上記エンドキャップの端部は、上記元節よりも大径のフランジを備えている請求項４に記載の延べ竿。
【請求項６】
上記元上節の他端にキャップが着脱自在に設けられており、
当該キャップは、上記第２座部を形成するフランジを備えている請求項４又は５に記載の延べ竿。
【請求項７】
上記元上節は、釣糸が挿入され且つ当該釣糸の端部が連結される釣糸連結部を備えている請求項１から６のいずれかに記載の延べ竿。
【発明の詳細な説明】
【技術分野】
【０００１】
この発明は、延べ竿の構造に関するものである。
【背景技術】
【０００２】
一般に釣竿は、外径が異なる複数のブランクから構成されており、各ブランクは「節」と称される。穂先を構成する節の外径は最も小さく、当該節は「第１番節」と称され、この第１番節に隣り合う節は「第２番節」と称される。同様に、第２番節に隣り合う節は第３番節と称され、順に第４番節、第５番節等と称される。各節の外径は、第１番節から順に大きくなり、最も外径が大きい節は特に「元節」と称され、元節に隣り合う節は特に「元上節」と称されることもある。
【０００３】
釣用リールを保持する機能を持たない釣竿は、特に延べ竿と称される。延べ竿が複数のブランクを備えている場合、各ブランクは入れ子状に組み立てられることがある（いわゆる振出竿）。延べ竿では、釣用仕掛けは、第１番節の先端に直接に連結される。したがって、実釣においてターゲットがヒットすると、延べ竿に軸力（引張力）及び曲げモーメントが同時に作用し、延べ竿を操作する釣人にとっては、体力的に負担が大きいが非常にエキサイティングな釣りが可能となる。その一方、ターゲットが大型魚であれば延べ竿に作用する曲げモーメントが大きくなるため、釣人は延べ竿を起立操作することができず、延べ竿がターゲットに引っ張られて完全に倒伏してしまう（いわゆる「伸される」状態）ことがある。この状態になれば、延べ竿の構造体としての弾性が無くなり、釣糸が切れてしまうおそれがある。
【０００４】
このような問題を解決するため、元節内に弾性体が組み込まれ、当該弾性体に釣糸が連結される釣竿が提案されている（たとえば特許文献１参照）。かかる構造の釣竿では、仮に伸された状態となっても、上記弾性体が変形することによって釣糸に生じる張力が突発的に大きくなることが抑制され、釣糸の切断が防止される。
【先行技術文献】
【特許文献】
【０００５】
【特許文献１】特開昭４７−２９１８５号公報
【発明の概要】
【発明が解決しようとする課題】
【０００６】
しかしながら、従来の構造では、ターゲットが釣糸を引っ張ることによって上記弾性体は常に変形する。すなわち、釣竿の姿勢の如何にかかわらず、常に釣糸が釣竿に対して相対的に変位する。そのため、ターゲットがヒットした状態で、釣人にとって意図せず釣糸が釣竿に対して変位し、釣人は、快適な釣竿の操作が困難となる。
【０００７】
本発明はかかる背景のもとになされたものであって、その目的は、釣人が意図したときに釣糸に生じる張力を調整することができる延べ竿を提供することである。
【課題を解決するための手段】
【０００８】
(1) 本発明に係る延べ竿は、元節と、先端部及び他端部を有し当該他端部が上記元節内に挿入されており、上記元節の軸方向に沿ってスライドすることによって、上記他端部が上記元節の内底部まで挿入された第１位置及び上記他端部が上記内奥部から離反すると共に上記先端部が上記元節から伸び出た第２位置の間で変位する元上節と、当該元上節を上記第１位置に変位するように弾性的に付勢する付勢機構とを備えている。
【０００９】
この延べ竿は、元節内に元上節が挿入されたいわゆる振出式の釣竿である。常時において元上節は第１位置に配置され、当該元上節の他端部は、元節の内底部まで挿入されている。元上節の先端に釣糸が連結される場合は、当該元上節が第１番節として機能する。もっとも、この延べ竿が他の節を備えて振出式の釣竿として構成されていてもよい。
【００１０】
実釣においてターゲットがヒットすると、釣糸を介して元上節及び元節に軸力及び曲げモーメントが作用する。当該延べ竿が起立姿勢であるときは、上記曲げモーメントによって元上節及び元節が曲がるので、両者が互いに固定される（元節に対して元上節が一定の保持力で保持される）。つまり、ターゲットが釣糸を引っ張る力によって元上節が元節に対してスライド変位することはなく、上記第１位置に保持されている。一方、当該延べ竿が倒伏姿勢となったとき（いわゆる伸された状態）は、上記軸力のみが元上節及び元節に作用する。この軸力が上記付勢機構による元節の弾性付勢力を超えたとき、元上節は元節に対してスライドし、上記第１位置から第２位置へスライドする。すなわち、元上節をピストン、元節をシリンダとするピストン・シリンダ構造が構成されており、元上節が元節に対してスライドすることによりピストン式のドラグ機構が実現されている。
【００１１】
(2) 上記付勢機構は、上記元節と上記元上節との間に配置され、上記元上節の他端部を上記元節の内奥部へ弾性的に付勢する押しスプリングを備えているのが好ましい。
【００１２】
この構成では、元上節のスライド量に応じて当該元上節の付勢力が変化する。つまり、上記ドラグ機構のドラグ力が変化する。したがって、釣糸への衝撃力の付加が防止されつつ、ターゲットを確実に止めることができる。
【００１３】
(3) 上記押しスプリングは、上記元上節の他端部に外嵌されると共に上記元節内に収容されているのが好ましい。上記元節は、上記押しスプリングの一端が保持される第１座部を有し、上記元上節の他端部は、上記押しスプリングの他端が保持される第２座部を有する。
【００１４】
この構成では、押しスプリングが延べ竿内に収容され、当該押しスプリングの両端が元節及び元上節の間に配置される。これにより、延べ竿の外観がシンプルで洗練される。
【００１５】
(4) 上記元節にエンドキャップが着脱自在に設けられており、当該エンドキャップは、上記内奥部を形成しているのが好ましい。
【００１６】
この構成では、エンドキャップが外されることにより、元上節は元節の後端から突出することができる。これにより、上記付勢機構のメンテナンスが容易である。
【００１７】
(5) 上記エンドキャップの端部は、上記元節よりも大径のフランジを備えているのが好ましい。
【００１８】
この構成では、エンドキャップは、釣人が元節を把持する際のグリップとして機能する。したがって、ターゲットの引張力が大きい場合であっても、釣人は確実に元節を握ることができる。
【００１９】
(6) 上記元上節の他端にキャップが着脱自在に設けられており、当該キャップは、上記第２座部を形成するフランジを備えているのが好ましい。
【００２０】
この構成では、上記エンドキャップが外され、且つ上記キャップが元上節から外されることにより、上記押しスプリングが取り外される。これにより、押しスプリングの交換作業が容易になり、ターゲットに応じたドラグ力の設定が可能となる。
【００２１】
(7) 上記元上節は、釣糸が挿入され且つ当該釣糸の端部が連結される釣糸連結部を備えていてもよい。
【００２２】
この構成では、当該延べ竿は、いわゆる中通し竿として構成される。この場合、釣糸は、第１番節の先端から各節の内部に挿通され、その端部が元上節に連結される。ターゲットがヒットした場合、釣糸は元上節を引っ張ることになる。この釣糸は、各節の内部に挿通されているら、元上節及び元節には軸力及び曲げモーメントが作用するが、その他の節には軸力が作用せず曲げモーメントのみが作用する。したがって、大型のターゲットがヒットしてきわめて大きな軸力が穂先（第１番節）に作用することによって、穂先が第２番節に固着してしまうことが防止される。
【発明の効果】
【００２３】
この発明によれば、ターゲットがヒットしたときに釣人が延べ竿を意図的に倒伏させることにより、元上節が元節に対して弾性的に軸方向にスライドしていわばドラグ機能が発揮される。このように釣人が意図して延べ竿にドラグ機能を発揮させることができるので、釣糸の切断を防止しつつエキサイティングな釣りが楽しめる。
【図面の簡単な説明】
【００２４】
【図１】図１は、本発明の一実施形態に係る延べ竿の外観斜視図である。
【図２】図２は、本発明の一実施形態に係る延べ竿の一部断面要部拡大図である。
【図３】図３は、本発明の一実施形態に係る延べ竿の元節の先端部の拡大図である。
【図４】図４は、本発明の一実施形態に係る延べ竿の元節の後端部の拡大図である。
【図５】図５は、本発明の一実施形態の変形例に係る延べ竿の一部断面要部拡大図である。
【図６】図６は、本発明の他の実施形態に係る延べ竿の外観斜視図である。
【図７】図７は、本発明の他の実施形態に係る延べ竿の一部断面要部拡大図である。
【図８】図８は、本実施形態の変形例に係るストッパの側面図である。
【図９】図９は、本実施形態の他の変形例に係るストッパの構造を示す図である。
【発明を実施するための形態】
【００２５】
以下、本発明の好ましい実施形態が、適宜図面が参照されながら説明される。なお、本実施の形態は、本発明に係る延べ竿の一態様にすぎず、本発明の要旨を変更しない範囲で実施態様が変更されてもよいことは言うまでもない。
【００２６】
＜概説及び特徴点＞
【００２７】
図１は、本発明の一実施形態に係る延べ竿２０の外観斜視図である。図２は、延べ竿２０の一部断面要部拡大図である。
【００２８】
図１が示すように、延べ竿２０は、６つの円筒状部材（ブランク）２１〜２６から構成されており、いわゆる振出式の釣竿である。各円筒状部材２１〜２６は、それぞれ「節」と称され、延べ竿２０の先端側（軸方向２８の左側）から順に第１番節２１、第２番節２２と称される。第５番節２５は、特に「元上節」と称され、第６番節２６は、特に「元節」と称される。各節２１〜２６は、既知の要領で構成される。たとえば、カーボン繊維により強化された樹脂シート（プリプレグ）が所定形状に裁断され、これがマンドレルの周囲に巻回される。この状態でプリプレグが所定温度に加熱された後、マンドレルが引き抜かれることによって、上記樹脂が硬化して円筒状の節２１〜２６が焼成される。
【００２９】
第１番節２１は、第２番節２２の内部に収容されており、第２番節２２に対して引き出し自在となっている。第１番節２１の先端にリリアン２７が設けられている。図示されていない釣糸は、リリアン２７に連結されるようになっている。このリリアン２７の構成は既知であるので、その詳しい説明は省略される。第１番節２１は、テーパ状に形成されており、先端部の外径よりも後端部の外径の方が大きい。第１番節２１の後端部の外径は、第２番節２２の先端部の内径よりも大きく、第１番節２１が第２番節２２から引き出された際に、第１番節２１の後端部分が第２番節２２の先端部分とかみ合って両者が固定されるようになっている。なお、第２番節２２と第３番節２３との関係、第３番節２３と第４番節２４との関係及び第４番節２４と元上節２５との関係も同様である。
【００３０】
図２が示すように、元上節２５の後端部３９は、元節２６の先端部４１と所定のはめあい関係にて嵌め合わされている。元上節２５の後端部３９の外径は、元節２６の先端部４１の内径より小さく設定されており、当該後端部３９及び先端部４１の幾何学的な寸法関係においては、元上節２５は元節２６に対して、がたつくことなくスライド自在となっている。元節２６の外径は、釣人が握りやすい寸法に設定されるのが好ましい。また、元節２６に既知の滑止対策が施されてもよい。たとえば、元節２６の表面が粗面に加工されてもよいし、元節２６の表面にゴム等の滑止部材が配置されてもよい。
【００３１】
本実施形態に係る延べ竿２０の特徴とするところは、延べ竿２０は、元上節２５を元節２６側へ弾性的に付勢する付勢機構３０を搭載している点である。この付勢機構３０が設けられることにより、実釣において釣人は、意図的に元節２６に対して元上節２５を軸方向２８に沿って弾性的に伸縮させることができるようになっている。
【００３２】
＜付勢機構＞
【００３３】
図３は、元節２６の先端部４１の拡大図、図４は、元節２６の後端部３１の拡大図である。
【００３４】
図２及び図４が示すように、元節２６の後端部３１の内側に雌ネジ３２が形成されている。元節２６の後端部３１にエンドキャップ３３が設けられている。エンドキャップ３３は、樹脂又は金属から構成されている。エンドキャップ３３は、元節２６の後端部３１にねじ込まれており、元節２６に対して着脱自在となっている。
【００３５】
エンドキャップ３２は、螺合部３４及びフランジ３５を有し、これらは一体的に形成されている。螺合部３４は円柱状を呈し、その外周面に雄ネジ３６が形成されている。したがって、この螺合部３４が元節２６の後端部３１と螺合し、当該後端部３１の内側に嵌め合わされる。この状態で、螺合部３４の端面３８（図４参照）は、元節２６の内奥部を構成する。この螺合部３４の後端にフランジ３５が連続して形成されている（図２参照）。フランジ３５の外径は元節２６の外径よりも大きく、釣人が元節２６を握った状態で、釣人の手が確実にフランジ３５と当接し係合するようになっている。フランジ３５の外周面にローレット５７が形成されており、滑止効果が奏される。なお、エンドキャップ３３の中央に軸方向２８に沿って貫通する小孔３７が設けられている。この小孔３７が設けられることによって空気が元節２６内に出入りすることができるので、元上節２５が元節２６に対して円滑にスライドすることができる。もっとも、上記ローレット５７及び小孔３７は省略されてもよい。
【００３６】
図２及び図３が示すように、元節２６の先端部４１の外径は、軸方向２８の左側向き（先端側向き）に漸次縮径されている。当該先端部４１の内部に段部５２が形成されている。この段部５２は、上記先端部４１の内径が縮径されることにより形成されている。段部５２の端面５３（特許請求の範囲に記載された「第１座部」に相当）は、後述されるように、スプリング５０の座部として機能する。
【００３７】
図２が示すように、元上節２５は、元節２６の内部に挿通されている。元上節２５を元節２６に組み付ける手順は、上記エンドキャップ３３が取り外された状態で、元上節２５が、その先端部２９（図１参照）側から元節２６の後端部３１に挿入される。元上節２５が元節２６に挿入された状態で、エンドキャップ３３が元節２６に螺合される。
【００３８】
図２及び図４が示すように、元上節２５の後端部３９の内側に雌ネジ４０が形成されている。元上節２５の後端部３９にストッパ４２（特許請求の範囲に記載された「キャップ」に相当）が設けられている。ストッパ４２は、樹脂又は金属から構成されている。ストッパ４２は、元上節２５の後端部３９にねじ込まれており、元上節２５に対して着脱自在となっている。
【００３９】
図４が示すように、ストッパ４２は、プラグ４３及びヘッド４４を有し、これらは一体的に形成されている。プラグ４３は、円柱状を呈し、その外周面に雄ネジ４５が形成されている。したがって、このプラグ４３が元上節２５の後端部３９と螺合し、当該後端部３９の内側に嵌め合わされる。ヘッド４４は、位置決め部４６及び操作部４７を有する。位置決め部４６はプラグ４３に連続するフランジからなり、位置決め部４６の端面４８（特許請求の範囲に記載された「第２座部」に相当）は、元上節２５の後端から径方向へ張り出している。この端面４８は、後述されるように、スプリング５０の座部として機能する。操作部４７は、位置決め部４６に連続する円盤状を呈する。操作部４７の外周面にローレット５１が形成されており、滑止効果が奏される。もっとも、このローレット５１は省略されてもよい。
【００４０】
図１及び図２が示すように、元上節２５は、元節２６に挿入された状態となっており、元上節２５が元節２６に対して軸方向２８の右側にスライドした場合、元上節２５の後端（すなわち、ストッパ４２の後端面）がエンドキャップ３３の端面３８に当接し、位置決めされる。かかる元上節２５の位置が第１位置と定義される。また、元上節２５は、軸方向２８の右側にスライドすることができる。上記第１位置から元節２６に対して、軸方向２８の右側にスライドすると、元上節２５の他端部（上記ストッパ４２の後端面）が上記エンドキャップ３３の端面３８から離反し、元上節２５の先端部２９が元節２６から伸び出る。かかる元上節２５の位置が第２位置と定義され、元上節２５は、元節２６に対して第１位置と第２位置との間でスライド変位が可能となっている。
【００４１】
付勢機構３０は、上記スプリング５０により構成されている。このスプリング５０は、バネ鋼がコイル状に成形されたものであり、いわゆる押しスプリングである。スプリング５０の外径は元節２６の内径より小さく且つスプリング５０の内径は、元上節２５の外径よりも大きい。したがって、スプリング５０は、軸方向２８に沿って元上節２５の後端部３９に嵌め込まれた状態で元節２６内に配置されている。図３が示すように、スプリング５０の一端（先端）５４は、上記端面５３に当接している。図４が示すように、スプリング５０の他端（後端）５５は、上記端面３８に当接している。スプリング５０の一端５４及び他端５５は、当該スプリング５０が一定量だけ圧縮された状態で上記端面５３及び端面３８に保持されている。したがって、図２が示すように、スプリング５０の弾性力（反発力）は、元上節２５を常時元節２６の端面３８に押し付けるように作用しており、元上節２５は常時上記第１位置に弾性付勢されている。もっとも、スプリング５０の弾性力に抗して元上節２５が軸方向２８の左側へ引っ張られると、元上節２５は、上記第２位置側へスライドする。
【００４２】
＜延べ竿の使用態様及び作用効果＞
【００４３】
実釣において、延べ竿２０を構成する各節２１〜２５は、隣り合う節から引き出されて伸長される。釣用仕掛けは、第１番節２１に取り付けられる。具体的には、釣糸がリリアン２７（図１参照）に連結される。なお、本実施形態では、延べ竿２０は６つの節２１〜２６を備えているが、元上節２５及び元節２６のみにより延べ竿２０が構成されていてもよい。この場合は、元上節２５が第１番節を構成する。
【００４４】
ターゲットがヒットすると、上記釣糸が引っ張られて元上節２５及び元節２６に軸力（引張力）及び曲げモーメントが作用する。釣人が延べ竿２０を操作して所定の起立姿勢に保つ場合は、上記曲げモーメントによって元上節２５及び元節２６が曲がり、両者がこじれた位置関係となる。そのため、両者が互いに一定の保持力で固定される。したがって、ターゲットが釣糸を引っ張ったとしても、元上節２５が元節２６に対してスライド変位することはなく、上記第１位置に保持される。また、延べ竿２０の姿勢が倒伏姿勢となったとき（たとえば、ターゲットの力が強大で、いわゆる伸された状態となったとき）は、元上節２５及び元節２６に軸力のみが作用する。この軸力が上記スプリング５０の弾性力を超えたとき、元上節２５は元節２６に対してスライドし、上記第１位置から上記第２位置側へスライドする（図２参照）。
【００４５】
換言すれば、この延べ竿２０では、元上節２５をピストン、元節２６をシリンダとするピストン・シリンダ構造が構成されている。元上節２５が元節２６に対してスライドすることにより、釣糸に大きな張力が突発的に生じることを防止するピストン式のドラグ機構が実現されているといえる。このことはすなわち、釣人は、ターゲットがヒットしたときに延べ竿２０を意図的に倒伏させることにより、元上節２５を元節２６に対して弾性的に軸方向にスライドさせて、ドラグ機能を発揮させることができる。このように釣人が意図して延べ竿２０にドラグ機能を発揮させることができるので、釣糸の切断を防止しつつ延べ竿特有のエキサイティングな釣りが楽しめる。もちろん、不意にターゲットが釣糸を強く引っ張った場合には、本来のドラグ機能が発揮される。
【００４６】
本実施形態では、元上節２５を付勢するためにスプリング５０が採用されており、このスプリング５０は、押しスプリングであるから、元上節２５のスライド量に応じて上記付勢力が変化する。したがって、釣糸に衝撃的な力が付加されることが防止されつつ、ターゲットの突進が確実に止められる。もっとも、付勢機構３０をスプリング５０以外の機械要素（引きスプリングや磁石等）で構成することも可能である。
【００４７】
本実施形態では、スプリング５０は、元節２６側に形成された端面５３と元上節２５側に形成された端面４８との間に保持されており、延べ竿２０内に収容されている。これにより、延べ竿２０の外観（特に元節２６の外観）がシンプルで洗練される。
【００４８】
図２が示すように、本実施形態ではエンドキャップ３３が着脱自在となっている。エンドキャップ３３が外されることにより、元上節２５が元節２６の後端から突出し得る。これにより、スプリング５０の清掃その他付勢機構３０のメンテナンスが容易になる。
【００４９】
上記エンドキャップ３３はフランジ３５を有し、釣人が元節２６を握ったときに釣人の手は、確実にフランジ３５と当接し係合する。つまり、エンドキャップ３３は、釣人が元節２６を把持する際のグリップとして機能する。したがって、ターゲットの引張力が大きい場合であっても、釣人は確実に元節２６を握ることができる。
【００５０】
本実施形態では、上記元上節２５にストッパ４２が設けられている。エンドキャップ３３及びストッパ４２が外されると、スプリング５０が取り外される。これにより、スプリング５０の交換作業が容易になる。したがって、前述のドラグ力が、ターゲットに応じて変更され得るという利点がある。
【００５１】
もっとも、ストッパ４２が省略されてもよい。すなわち、図５が示すように、元上節２６の後端にフランジ５６が形成されていてもよい。この場合、元上節２５の後端は閉塞されていなくてもよい。このフランジ５６は、前述の要領にて元上節２５と一体的に焼成されてもよい。フランジ５６の外径は、上記ストッパ４２の位置決め部４６の外径と同様に設定されるのが好ましい。かかる構造が採用されても、上記ドラグ機能が発揮される。
【００５２】
＜他の実施形態＞
【００５３】
図６は、本発明の他の実施形態に係る延べ竿６０の外観斜視図である。図７は、延べ竿６０の一部断面要部拡大図である。
【００５４】
本実施形態に係る延べ竿６０が上記一実施形態に係る延べ竿２０と異なるところは、延べ竿２０は、釣糸が第１番節２１の先端に連結される構造であるのに対して延べ竿６０は、いわゆるインナーガイドタイプであり、釣糸６１は、延べ竿６０を構成する各節２１〜２６の内部に挿通されるようになっている点である。元上節２５に設けられたストッパ４２は、リリアン５８（特許請求の範囲に記載された「釣糸連結部」に相当）を備えている。このリリアン５８は延べ竿２０に設けられたリリアン２７と同様の構成であり、図７が示すように、ストッパ４２の中心に突設されている。釣糸６１は、リリアン５８に連結されるようになっている。なお、その他の構成は、延べ竿２０と同様である。
【００５５】
この延べ竿６０では、釣糸６１が元上節２５に連結されるので、ターゲットがヒットした場合、釣糸６１は元上節２５を軸方向２８に引っ張ることになる。この釣糸６１は、各節２１〜２６の内部に挿通されているら、元上節２５及び元節２６には軸力及び曲げモーメントが作用するが、その他の節２１〜２４には軸力が作用せず曲げモーメントのみが作用する。したがって、ターゲットがヒットしても第１番節２１が第２番節２２に対して強く引っ張られることがなく、その結果、いわゆる穂先の固着が防止されるという利点がある。なお、延べ竿２０に搭載されている付勢機構３０は、同様に延べ竿６０にも搭載されているので、釣人が意図的に延べ竿６０を操作することにより前述のドラグ機能を発揮させることが可能である。
【００５６】
図８は、本実施形態の変形例に係るストッパ６５の側面図である。
【００５７】
このストッパ６５が上記ストッパ４２と異なるところは、上記ストッパ４２は、リリアン５８を備えているのに対して、本変形例に係るストッパ６５は、アイ６６を備えている点である。このアイ６６は脚６７を有し、この脚６７がストッパ６５の中央に突設されている。アイ６６は金属又は樹脂からなり、円環状に形成されている。釣糸６１（図７参照）がアイ６６に連結されることにより、ターゲットがヒットしたときの釣糸６１への負担が軽減されるという利点がある。
【００５８】
図９は、本実施形態の他の変形例に係るストッパ６８の構造を示す図であり、（ａ）は分解図、（ｂ）は断面図である。
【００５９】
このストッパ６８が上記ストッパ４２と異なるところは、上記ストッパ４２は、リリアン５８を備えているのに対して、本変形例に係るストッパ６８は、アイ６９を備えており、且つアイ６９が着脱自在となっている点である。
【００６０】
同図（ａ）が示すように、アイ６９は、固定プレート７０と、脚７１と、リング７２とを備えている。これらは金属又は樹脂からなり、一体的に形成されている。固定プレート７０は円盤状を呈し、その中央に円柱状を呈する脚７１が立設されている。脚７１の先端にリング７２が設けられている。一方、ストッパ６８は、その中心に軸方向２８に沿って貫通孔７３を有する。この貫通孔７３は、操作部４７に設けられた嵌合凹部７４及び挿通孔７５を有する。挿通孔７５は、嵌合凹部７４に連続し、軸方向２８に沿ってプラグ４３を貫通している。
【００６１】
嵌合凹部７４の内径は上記固定プレート７０の外径に対応しており、両者は所定のはめあいにて嵌め合わされる。これにより、固定プレート７０は、一定の保持力でストッパ６８に保持される。釣人は、固定プレート７０を指先で摘んで引っ張ることにより、ストッパ６８から取り外すことができるようになっている。挿通孔７５の内径は上記リング７２の外径に対応しており、当該リング７２及び脚７１が挿通孔７５に対して挿通自在となっている。
【００６２】
釣人は、アイ６９を手に取り、リング７２からストッパ６８の挿通孔７５に挿通する。これにより、リング７２及び脚７１がストッパ６８を貫通し、固定プレート７０がストッパ６８に嵌め合わされる。また、前述の要領にて、アイ６９は、容易にストッパ６８から取り外される。
【００６３】
このようにアイ６９がストッパ６８に対して着脱自在であるから、釣人は、釣糸６１をアイ６９に連結する際に、ストッパ６８ごと取り外す必要はない。すなわち、実釣において仕掛け（釣糸）を延べ竿６０に連結する際にスプリング５０を外す必要がなく、仕掛けの準備が簡単且つ迅速に行える。しかも、釣りを終了する際に、仕掛けの片付けも簡単になるという利点がある。
【符号の説明】
【００６４】
２０・・・延べ竿
２５・・・元上節
２６・・・元節
２８・・・軸方向
２９・・・先端部
３０・・・付勢機構
３１・・・後端部
３２・・・雌ネジ
３３・・・エンドキャップ
３４・・・螺合部
３５・・・フランジ
３８・・・内奥部
３９・・・後端部
４０・・・雌ネジ
４１・・・先端部
４２・・・ストッパ
４３・・・プラグ
４４・・・ヘッド
４５・・・雄ネジ
４６・・・位置決め部
４７・・・操作部
４８・・・端面
５０・・・スプリング
５２・・・段部
５３・・・端面
５４・・・一端
５５・・・他端
５６・・・フランジ
６０・・・延べ竿
６５・・・ストッパ
６６・・・アイ
６８・・・ストッパ
６９・・・アイ
７０・・・固定プレート
７３・・・貫通孔
７４・・・嵌合凹部
７５・・・挿通孔
【図１】
2018000162.tif 000003
【図２】
2018000162.tif 000004
【図３】
2018000162.tif 000005
【図４】
2018000162.tif 000006
【図５】
2018000162.tif 000007
【図６】
2018000162.tif 000008
【図７】
2018000162.tif 000009
【図８】
2018000162.tif 000010
【図９】
2018000162.tif 000011